(57)【要約】      （修正有）【課題】持ち運びが便利でありながら組み立ても容易にする。【解決手段】バーベキューグリル１Ａは、炭受け部１０と、炭受け部１０を収納して支持する箱枠状のフレーム部２０と、フレーム部２０に着脱自在に取り付けられた足部３０とを備えている。フレーム部２０は、一対の長辺側フレーム２１及び短辺側フレーム２２により構成されている。短辺側フレーム２２は、パイプ材を組み合わせて構成され、長さ方向に隣り合うパイプ材の端部同士を切り離し可能に連結するパイプ連結機構２３を有している。【選択図】図１
2014046143.tif 000002
【特許請求の範囲】
【請求項１】
炭受け部と、前記炭受け部を収納して支持する箱枠状のフレーム部と、前記フレーム部に着脱自在に取り付けられた足部とを備え、前記フレーム部は、一対の長辺側フレーム及び短辺側フレームにより構成され、前記短辺側フレームは、複数のパイプ材を組み合わせて構成されており、長さ方向に隣り合うパイプ材の端部同士を切り離し可能に連結するパイプ連結機構を有していることを特徴とするバーベキューグリル。
【発明の詳細な説明】
【技術分野】
【０００１】
本発明は、アウトドア等で使用されるバーベキューグリルに関する。
【背景技術】
【０００２】
従来のバーベキューグリルについては、炭受け部と、炭受け部を収納して支持する箱枠状のフレーム部と、フレーム部に着脱自在に取り付けられた足部とを有した構造であるのが一般的である。特にフレーム部としてパイプ材から構成されたチューブラルと称されるものは、グリル全体がシンプルな構造であることから小型軽量化及び低価格の点で好評を得ている（特許文献１参照）。
【先行技術文献】
【特許文献】
【０００３】
【特許文献１】特開２００３-０６１８３２号公報
【発明の概要】
【発明が解決しようとする課題】
【０００４】
このようなバーベキューグリルは、各部品に分解可能であるものの、フレーム部の部品サイズが大きいことから、持ち運びが不便という指摘があった。だからと言って、フレーム部をパイプ材単位で分解可能に設計変更すると、組み立てが煩わしいという別の問題を招来する。
【０００５】
本発明は上記事情に鑑みて創案されたものであって、持ち運びが便利でありながら組み立ても容易であるバーベキューグリルを提供することを目的としている。
【課題を解決するための手段】
【０００６】
本発明に係るバーベキューグリルは、炭受け部と、前記炭受け部を収納して支持する箱枠状のフレーム部と、前記フレーム部に着脱自在に取り付けられた足部とを備え、前記フレーム部は、一対の長辺側フレーム及び短辺側フレームにより構成され、前記短辺側フレームは、複数のパイプ材を組み合わせて構成されており、長さ方向に隣り合うパイプ材の端部同士を切り離し可能に連結するパイプ連結機構を有している。 
【０００７】
上記構成による場合、短辺側フレームの一部がパイプ連結機構により分解可能になり、少なくとも一対の長辺側フレームの間が切り離される。これは、フレーム部が部分的に分解可となり、その部品サイズが小さくなったことを意味し、これに伴って従来とは異なり持ち運びが容易となる。また、組み立ての際は、上記のように分解された短辺側フレームの一部をパイプ連結機構を利用して元通りに連結すると良いことから、組み立ても容易である。
【図面の簡単な説明】
【０００８】
【図１】本発明の実施の形態に係るバーベキューグリルの使用状態を示す斜視図である。
【図２】同バーベキューグリルの一部の分解斜視図である。
【図３】同バーベキューグリルの一部省略正面図及び背面図である。
【図４】同バーベキューグリルの一部省略平面図である。
【図５】同バーベキューグリルの一部省略底面図である。
【図６】同バーベキューグリルの一部省略右側面図及び左側面図である。
【図７】同バーベキューグリルの一部省略斜視図である。
【図８】同バーベキューグリルの第１変形例を説明するための図であって、バーベキューグリルの使用状態を示す斜視図である。
【図９】同バーベキューグリルの一部の分解斜視図である。
【図１０】同バーベキューグリルの一部省略正面図及び背面図である。
【図１１】同バーベキューグリルの一部省略平面図である。
【図１２】同バーベキューグリルの一部省略底面図である。
【図１３】同バーベキューグリルの一部省略右側面図及び左側面図である。
【図１４】同バーベキューグリルの一部省略斜視図である。
【図１５】同バーベキューグリルの第２変形例を説明するための図であって、バーベキューグリルの使用状態を示す斜視図である。
【図１６】同バーベキューグリルの一部の分解斜視図である。
【図１７】同バーベキューグリルの一部省略正面図及び背面図である。
【図１８】同バーベキューグリルの一部省略平面図である。
【図１９】同バーベキューグリルの一部省略底面図である。
【図２０】同バーベキューグリルの一部省略右側面図及び左側面図である。
【図２１】同バーベキューグリルの一部省略斜視図である。
【図２２】同バーベキューグリルの第３変形例を説明するための図であって、バーベキューグリルの使用状態を示す斜視図である。
【図２３】同バーベキューグリルの一部の分解斜視図である。
【図２４】同バーベキューグリルの一部省略正面図及び背面図である。
【図２５】同バーベキューグリルの一部省略平面図である。
【図２６】同バーベキューグリルの一部省略底面図である。
【図２７】同バーベキューグリルの一部省略右側面図及び左側面図である。
【図２８】同バーベキューグリルの一部省略斜視図である。
【図２９】同バーベキューグリルの第４変形例を説明するための図であって、バーベキューグリルの使用状態を示す斜視図である。
【図３０】同バーベキューグリルの一部の分解斜視図である。
【図３１】同バーベキューグリルの一部省略正面図及び背面図である。
【図３２】同バーベキューグリルの一部省略平面図である。
【図３３】同バーベキューグリルの一部省略底面図である。
【図３４】同バーベキューグリルの一部省略右側面図及び左側面図である。
【図３５】同バーベキューグリルの一部省略斜視図である。
【図３６】同バーベキューグリルの第５変形例を説明するための図であって、バーベキューグリルの使用状態を示す斜視図である。
【図３７】同バーベキューグリルの一部の分解斜視図である。
【図３８】同バーベキューグリルの一部省略正面図及び背面図である。
【図３９】同バーベキューグリルの一部省略平面図である。
【図４０】同バーベキューグリルの一部省略底面図である。
【図４１】同バーベキューグリルの一部省略右側面図及び左側面図である。
【図４２】同バーベキューグリルの一部省略斜視図である。
【発明を実施するための形態】
【０００９】
以下、本発明の実施の形態を図１乃至図７を参照して説明する。ここに例として掲げるバーベキューグリル１Ａは、上面が開放された炭受け部１０と、炭受け部１０を収納して支持する箱枠状のフレーム部２０と、フレーム部２０に着脱自在に取り付けられた合計４本の足部３０とを備えている。フレーム部２０については、主として複数のパイプ材を組み合わせて構成されていることから、バーベキューグリル１Ａは、チューブラルと称されるものである。なお、図１中４０はフレーム部２０の面上に載置可能な金網である。
【００１０】
炭受け部１０については、鉄板を断面凹状に折曲して構成されたもので、木炭等の燃料を載置するための受け溝が形成されている。このような炭受け部１０が図外のフック等を用いてフレーム部２０に引っ掛けて支持されるようになっている。
【００１１】
フレーム部２０については、全体として略凹字状をなした一対の長辺側フレーム２１,２１と、全体として略ロ字状をなした一対の短辺側フレーム２２，２２により構成され、各構成フレームが溶接等により箱枠状に組み合わされている。
【００１２】
長辺側フレーム２１については、本実施形態では、図２に示されているように下向き凹字状をなした中空のパイプ部２１１と、パイプ部２１１に平行に取り付けられたＬ字状アングル部材２１２とを有している。パイプ部２１１の両端開口２１１１，２１１１には、足部３０，３０の各端部が差し込まれて装着可能になっている。図１は、足部３０がパイプ部２１１の両端開口２１１１に装着された状態を示しており、図２は、足部３０がパイプ部２１１の両端開口２１１１から取り外れた状態を示している。
【００１３】
なお、もう一方の長辺側フレーム２１についても上記と全く同様の構成であるので、その説明は省略するものとする。
【００１４】
短辺側フレーム２２については、図２に示されているように横向き凹字状をなした中空の一対のパイプ部２２１，２２１と、一対のパイプ部２２１，２２１との間に接続される直線状をなした一対のパイプ部２２２，２２２とを組み合わせて構成されている。短辺側フレーム２２には、長さ方向に隣り合うパイプ材（本案例ではパイプ部２２１とパイプ部２２２とが対象）の端部同士を切り離し可能に連結するパイプ連結機構２３，２３，２３，２３を有している。
【００１５】
パイプ連結機構２３については、本実施形態では、パイプ部２２２の一方端部に外向きに設けられたスプリングピン２３１と、パイプ部２２１の一方端部の外面に形成されたスプリングピン２３１の先端部が挿入可能な係合穴２３２とを有した構成となっている。図１は、足部３０がパイプ部２１１の両端開口２１１１に装着された状態を示しており、図２は、足部３０がパイプ部２１１の両端開口２１１１から取り外れた状態を示している。
【００１６】
即ち、パイプ部２２２の一方端部をパイプ部２２１の一端開口２２１１に差し込むと、スプリングピン２３１の先端部が係合穴２３２に挿入・係合され、これによりパイプ部２２２がパイプ部２２１に連結される。この状態では、スプリングピン２３１の先端部がパイプ部２２１の外側面に位置する係合穴２３２から一部出ているが（図１参照）、これを押し込めると、スプリングピン２３１の先端部が係合穴２３２から外れて、係合状態が解除され、その結果、パイプ部２２２をパイプ部２２１に切り離し可能になる。
【００１７】
このようなパイプ連結機構２３が短辺側フレーム２２に合計４つ設けられている。図１は、パイプ部２２２がパイプ部２２１,２２１に連結された状態を示しており、図２は、パイプ部２２２がパイプ部２２１,２２１から切り離された状態を示している。
【００１８】
なお、もう一方の短辺側フレーム２２についても上記と全く同様の構成であるので、その説明は省略するものとする。
【００１９】
足部３０については、フレーム２０で使用されたものと同一の直線状の中空のパイプ材である。
【００２０】
上記のように構成されたバーベキューグリル１Ａによる場合、短辺側フレーム２２，２２がパイプ連結機構２３により分解可能になり、少なくとも一対の長辺側フレーム２１，２１の間が切り離される。これは、フレーム部２０が部分的に分解可となり、その部品サイズが小さくなったことを意味し、これに伴って従来とは異なり持ち運びが容易となる。また、組み立ての際は、上記のように分解された短辺側フレーム２２をパイプ連結機構２３を利用して元通りに連結すると良いことから、組み立ても容易であり、使い勝手が一層良好となる。
【００２１】
次に、バーベキューグリル１Ａの第１変形例を図８乃至図１４を参照して説明する。第１変形例に係るバーベキューグリル１Ｂがバーベキューグリル１Ａと大きく異なるのは、１）一対の長辺側フレーム２１,２１が全体として略ロ字状をなしている一方、短辺側フレーム２２，２２が全体として下向き略凹字状をなしている点、２）足部３０が短辺側フレーム２２の両側開口に着脱自在に取り付けられている点、３）パイプ連結機構２３の数が半分になった点である。これ以外についてはバーベキューグリル１Ａと同様の構成になっている。
【００２２】
バーベキューグリル１Ａの第２変形例を図１５乃至図２１を参照して説明する。第２変形例に係るバーベキューグリル１Ｃがバーベキューグリル１Ａと大きく異なるのは、１）短辺側フレーム２２，２２が全体として下向き略凹字状をなしている点、２）パイプ連結機構２３の数が半分になった点である。これ以外については、バーベキューグリル１Ａと全く同様の構成になっている。
【００２３】
バーベキューグリル１Ａの第３変形例を図２２乃至図２８を参照して説明する。第３変形例に係るバーベキューグリル１Ｄがバーベキューグリル１Ａと大きく異なるのは、１）短辺側フレーム２２，２２が全体として上向き略凹字状をなしている点、２））パイプ連結機構２３の数が半分になった点である。これ以外については、バーベキューグリル１Ａと全く同様の構成になっている。
【００２４】
バーベキューグリル１Ａの第４変形例を図２９乃至図３５を参照して説明する。第４変形例に係るバーベキューグリル１Ｅがバーベキューグリル１Ａと大きく異なるのは、１）長辺側フレーム２１,２１及び短辺側フレーム２２，２２が全体として下向き略凹字状をなしてい点、２）足部３０が短辺側フレーム２２の両側開口に着脱自在に取り付けられている点、３）パイプ連結機構２３の数が半分になった点である。これ以外についてはバーベキューグリル１Ａと同様の構成になっている。
【００２５】
バーベキューグリル１Ａの第５変形例を図３６乃至図４２を参照して説明する。第５変形例に係るバーベキューグリル１Ｆがバーベキューグリル１Ａと大きく異なるのは、１）短辺側フレーム２２，２２が全体として下向き略凹字状をなしている点、２）長辺側フレーム２１,２１が全体として上向き略凹字状をなしてい点、３）足部３０が短辺側フレーム２２の両側開口に着脱自在に取り付けられている点、４）パイプ連結機構２３の数が半分になった点である。これ以外についてはバーベキューグリル１Ａと同様の構成になっている。
【００２６】
なお、本発明に係るバーベキューグリルは、上記実施形態に限定されず、炭受け部については種類が任意であり、フレーム部については、その全体の形状、パイプ材の数、連結方法につき任意である。また、足部のフレーム部に対する位置関係や着脱方式については適宜設計変更すると良く、パイプ連結機構については、長さ方向に隣り合うパイプ材の端部同士を切り離し可能に連結するものである限り、その種類等が問われることはない。
【符号の説明】
【００２７】
１Ａ〜１Ｆ  バーベキューグリル
１０  炭受け部
２０  フレーム部
２１  長辺側フレーム
２２  短辺側フレーム
２２１  ２２２  パイプ部  
２３  パイプ連結機構
３０  足部
【図１】
2014046143.tif 000003
【図２】
2014046143.tif 000004
【図３】
2014046143.tif 000005
【図４】
2014046143.tif 000006
【図５】
2014046143.tif 000007
【図６】
2014046143.tif 000008
【図７】
2014046143.tif 000009
【図８】
2014046143.tif 000010
【図９】
2014046143.tif 000011
【図１０】
2014046143.tif 000012
【図１１】
2014046143.tif 000013
【図１２】
2014046143.tif 000014
【図１３】
2014046143.tif 000015
【図１４】
2014046143.tif 000016
【図１５】
2014046143.tif 000017
【図１６】
2014046143.tif 000018
【図１７】
2014046143.tif 000019
【図１８】
2014046143.tif 000020
【図１９】
2014046143.tif 000021
【図２０】
2014046143.tif 000022
【図２１】
2014046143.tif 000023
【図２２】
2014046143.tif 000024
【図２３】
2014046143.tif 000025
【図２４】
2014046143.tif 000026
【図２５】
2014046143.tif 000027
【図２６】
2014046143.tif 000028
【図２７】
2014046143.tif 000029
【図２８】
2014046143.tif 000030
【図２９】
2014046143.tif 000031
【図３０】
2014046143.tif 000032
【図３１】
2014046143.tif 000033
【図３２】
2014046143.tif 000034
【図３３】
2014046143.tif 000035
【図３４】
2014046143.tif 000036
【図３５】
2014046143.tif 000037
【図３６】
2014046143.tif 000038
【図３７】
2014046143.tif 000039
【図３８】
2014046143.tif 000040
【図３９】
2014046143.tif 000041
【図４０】
2014046143.tif 000042
【図４１】
2014046143.tif 000043
【図４２】
2014046143.tif 000044
【手続補正書】
【提出日】平成24年11月16日(2012.11.16)
【手続補正１】
【補正対象書類名】特許請求の範囲
【補正対象項目名】全文
【補正方法】変更
【補正の内容】
【特許請求の範囲】
【請求項１】
上面が開放された炭受け部と、複数のパイプ材を箱枠状に組み合わせて構成されており且つ前記炭受け部を収納して支持するフレーム部と、前記フレーム部に着脱自在に取り付けられた足部と、前記フレーム部の各長辺側に設けられており且つ間隔を開けて長辺方向に沿って互いに対向して各々配置された一対のアングル補強板とを備え、前記フレーム部は、一対の長辺側フレーム部及び短辺側フレーム部により構成され、前記長辺側フレーム部は、長辺方向に沿って配置された長辺パイプ部を有し且つ当該長辺パイプ部に当該アングル補強板が平行に取り付けられている一方、前記短辺側フレーム部は、短辺方向に沿って配置された短辺パイプ部と、前記短辺パイプ部の途中に設けられており且つ短辺方向に隣り合うパイプ材の端部同士を切り離し可能に連結するパイプ連結機構とを有していることを特徴とするバーベキューグリル。
【請求項２】
請求項１記載のバーベキューグリルにおいて、
前記長辺パイプ部は、パイプ材が凹字状に曲げられた部材であって、前記足部を差し込んで装着するために両端が下に向けて配置されており、
前記短辺パイプ部は、パイプ材が凹字状に曲げられた部材であって両端部が互いに短辺方向に沿って向い合うように横向きに配置された一対の凹字パイプ部と、直線状のパイプ材の部材であって前記一対の凹字パイプ部の両端部同士の間を各々接続する一対の直線パイプ部とを有しているバーベキューグリル。
【請求項３】
請求項１記載のバーベキューグリルにおいて、
前記長辺パイプ部はパイプ材が略矩形状に曲げられた部材であり、
前記短辺パイプ部は、パイプ材がＬ字状に曲げられた部材であって、前記足部を差し込んで装着するために一端が下に向けられている一方、他端が互いに短辺方向に沿って向い合うように横向きに配置された一対のＬ字パイプ部と、直線状のパイプ材である部材であって前記一対のＬ字パイプ部の他端同士の間を接続する直線パイプ部とを有しているバーベキューグリル。
【請求項４】
請求項１記載のバーベキューグリルにおいて、
前記長辺パイプ部は、パイプ材が凹字状に曲げられた部材であって、前記足部を差し込んで装着するために両端が下に向けられており、
前記短辺パイプ部は、パイプ材がＬ字状に曲げられた部材であって、一端が下に向けられている一方、他端が互いに短辺方向に沿って向い合うように横向きに配置された一対のＬ字パイプ部と、直線状のパイプ材である部材であって前記一対のＬ字パイプ部の他端同士の間を接続する直線パイプ部とを有しているバーベキューグリル。
【請求項５】
請求項１記載のバーベキューグリルにおいて、
前記長辺パイプ部は、パイプ材が凹字状に曲げられた部材であって、前記足部を差し込んで装着するために両端が下に向けられており、
前記短辺パイプ部は、パイプ材がＬ字状に曲げられた部材であって、一端が上に向けられている一方、他端が互いに短辺方向に沿って向い合うように横向きに配置された一対のＬ字パイプ部と、直線状のパイプ材である部材であって前記一対のＬ字パイプ部の他端同士の間を接続する直線パイプ部とを有しているバーベキューグリル。
【請求項６】
請求項１記載のバーベキューグリルにおいて、
前記長辺パイプ部は、パイプ材が凹字状に曲げられた部材であって、両端が下に向けられており、
前記短辺パイプ部は、パイプ材がＬ字状に曲げられた部材であって、前記足部を差し込んで装着するために一端が下に向けられている一方、他端が互いに短辺方向に沿って向い合うように横向きに配置された一対のＬ字パイプ部と、直線状のパイプ材である部材であって前記一対のＬ字パイプ部の他端同士の間を接続する直線パイプ部とを有しているバーベキューグリル。
【請求項７】
請求項１記載のバーベキューグリルにおいて、
前記長辺パイプ部は、パイプ材が凹字状に曲げられた部材であって、両端が上に向けられており、
前記短辺パイプ部は、パイプ材がＬ字状に曲げられた部材であって、前記足部を差し込んで装着するために一端が下に向けられている一方、他端が互いに短辺方向に沿って向い合うように横向きに配置された一対のＬ字パイプ部と、直線状のパイプ材である部材であって前記一対のＬ字パイプ部の他端同士の間を接続する直線パイプ部とを有しているバーベキューグリル。
【手続補正２】
【補正対象書類名】明細書
【補正対象項目名】０００６
【補正方法】変更
【補正の内容】
【０００６】
本発明に係るバーベキューグリルは、上面が開放された炭受け部と、複数のパイプ材を箱枠状に組み合わせて構成されており且つ前記炭受け部を収納して支持するフレーム部と、前記フレーム部に着脱自在に取り付けられた足部と、前記フレーム部の各長辺側に設けられており且つ間隔を開けて長辺方向に沿って互いに対向して各々配置された一対のアングル補強板とを備え、前記フレーム部は、一対の長辺側フレーム部及び短辺側フレーム部により構成され、前記長辺側フレーム部は、長辺方向に沿って配置された長辺パイプ部を有し且つ当該長辺パイプ部に当該アングル補強板が平行に取り付けられている一方、前記短辺側フレーム部は、短辺方向に沿って配置された短辺パイプ部と、前記短辺パイプ部の途中に設けられており且つ短辺方向に隣り合うパイプ材の端部同士を切り離し可能に連結するパイプ連結機構とを有している。